(57)【要約】【課題】体格の増大が抑制された制御回路を提供する。【解決手段】並列接続されたＩＧＢＴ３４０とＭＯＳＦＥＴ３５０の駆動を制御する制御回路６００である。ＩＧＢＴのゲート電極３４０ｃには、基準電位に接続する第１配線５２１，５２２，５２３が接続されている。第１配線に第１スイッチ５２７，５２８，５２９が設けられている。複数の第１配線のうちの一部に第１抵抗５２４，５２５が設けられている。ＭＯＳＦＥＴのゲート電極３５０ｃには、基準電位に接続する第２配線５５１が接続されている。第２配線に第２スイッチ５５２が設けられている。第２スイッチとＭＯＳＦＥＴのゲート電極との間に第２抵抗５５５が設けられている。ＭＯＳＦＥＴのゲート電極と第１配線における第１スイッチのＩＧＢＴのゲート電極側とが接続配線５５３を介して接続されている。【選択図】図２
2020025384.tif 000002
【特許請求の範囲】
【請求項１】
電位差の生じる第１接続点と第２接続点との間で並列接続されたＩＧＢＴ（３４０）とＭＯＳＦＥＴ（３５０）の駆動を制御する制御回路（６００）であって、
前記ＩＧＢＴのゲート電極（３４０ｃ）に蓄積された電荷を基準電位に引き抜く第１オフ回路（５０５）と、
前記ＭＯＳＦＥＴのゲート電極（３５０ｃ）に蓄積された電荷を前記基準電位に引き抜く第２オフ回路（５０７）と、を有し、
前記第１オフ回路は、前記ＩＧＢＴのゲート電極と前記基準電位とを接続する複数の第１配線（５２１，５２２，５２３）と、複数の前記第１配線それぞれに設けられる複数の第１スイッチ（５２７，５２８，５２９）と、複数の前記第１配線のうちの一部に設けられる第１抵抗（５２４，５２５）と、を備え、
前記第２オフ回路は、前記ＭＯＳＦＥＴのゲート電極と前記基準電位とを接続する第２配線（５５１）と、前記第２配線に設けられる第２スイッチ（５５２）と、前記第２スイッチと前記ＭＯＳＦＥＴのゲート電極との間に設けられる第２抵抗（５５５）と、前記ＭＯＳＦＥＴのゲート電極を複数の前記第１配線のうちの一部に接続する接続配線（５５３，５５６，５５７）と、を備え、
前記接続配線は前記第１配線における前記第１スイッチの前記ＩＧＢＴのゲート電極側に接続されている制御回路。
【請求項２】
前記第１オフ回路と前記第２オフ回路の少なくとも一方は、前記接続配線を介した前記ＩＧＢＴのゲート電極と前記ＭＯＳＦＥＴのゲート電極との間の通電を抑制するための通電抑制素子（５２６，５３１，５５４，５５８，５５９）を有する請求項１に記載の制御回路。
【請求項３】
複数の前記第１配線のうちの前記第１抵抗の設けられた前記第１配線を第３配線（５２１，５２２）、残りの前記第１抵抗の設けられていない前記第１配線を第４配線（５２３）とすると、
前記接続配線は前記第４配線に接続されている請求項１または請求項２に記載の制御回路。
【請求項４】
前記第１スイッチと前記第２スイッチの駆動を制御する制御部（５０２）と、
前記第１接続点と前記第２接続点との間の通電状態を検出するセンサ（３４２，３５２）と、を有し、
前記制御部は、
前記通電状態に異常が生じていない場合、前記第３配線に設けられた前記第１スイッチをオン状態にした後に、前記第４配線に設けられた前記第１スイッチをオン状態にし、
前記通電状態に異常が生じている場合、前記第２スイッチと、前記第３配線に設けられた前記第１スイッチそれぞれをオン状態にした後に、前記第４配線に設けられた前記第１スイッチをオン状態にする請求項３に記載の制御回路。
【請求項５】
前記第１スイッチと前記第２スイッチの駆動を制御する制御部（５０２）と、
前記第１接続点と前記第２接続点との間の通電状態を検出するセンサ（３４２，３５２）と、を有し、
前記制御部は、
前記通電状態に異常が生じていない場合、前記第２スイッチと、前記第３配線に設けられた前記第１スイッチそれぞれをオン状態にした後に、前記第４配線に設けられた前記第１スイッチをオン状態にし、
前記通電状態に異常が生じている場合、前記第３配線に設けられた前記第１スイッチをオン状態にした後に、前記第４配線に設けられた前記第１スイッチをオン状態にする請求項３に記載の制御回路。
【請求項６】
複数の前記第１配線のうちの前記第１抵抗の設けられた前記第１配線を第３配線（５２１）、残りの前記第１抵抗の設けられていない２つの前記第１配線を第５配線（５２２）および第６配線（５２３）とすると、
前記第２オフ回路は、前記接続配線として、前記第６配線に接続される第１接続配線（５５６）と、前記第５配線に接続される第２接続配線（５５７）と、を備え、
前記第１接続配線は前記第２スイッチと前記第２抵抗との間と前記第６配線とを接続し、
前記第２接続配線は前記第２抵抗と前記ＭＯＳＦＥＴのゲート電極との間と前記第５配線とを接続している請求項１または請求項２に記載の制御回路。
【請求項７】
前記第１スイッチと前記第２スイッチの駆動を制御する制御部（５０２）と、
前記第１接続点と前記第２接続点との間の通電状態を検出するセンサ（３４２，３５２）と、を有し、
前記制御部は、
前記通電状態に異常が生じていない場合、前記第５配線および前記第６配線の一方に設けられた前記第１スイッチをオン状態にした後に、前記第５配線および前記第６配線の他方に設けられた前記第１スイッチをオン状態にし、
前記通電状態に異常が生じている場合、前記第２スイッチと、前記第３配線に設けられた前記第１スイッチそれぞれをオン状態にした後に、前記第５配線と前記第６配線それぞれに設けられた前記第１スイッチをオン状態にする請求項６に記載の制御回路。
【発明の詳細な説明】
【技術分野】
【０００１】
本明細書に記載の開示は、ＩＧＢＴとＭＯＳＦＥＴの駆動を制御する制御回路に関するものである。
【背景技術】
【０００２】
非特許文献１に示されるように、トランジスタの駆動を制御するゲートドライバが知られている。ゲートドライバはトランジスタのゲート電極と負電源（グランド）との接続を制御するためのスイッチを複数有している。
【先行技術文献】
【非特許文献】
【０００３】
【非特許文献１】“絶縁素子内蔵ゲートドライバシリーズ  絶縁電圧２５００Ｖｒｍｓ  電源内蔵絶縁素子内蔵１ｃｈ  ゲートドライバ”、［ｏｎｌｉｎｅ］、平成３０年４月２３日、［平成３０年５月３０日検索］、インターネット〈ＵＲＬ：https://www.rohm.co.jp/datasheet/BM60054AFV-C/bm60054afv-c-j〉
【発明の概要】
【発明が解決しようとする課題】
【０００４】
近年、電気自動車などの普及に伴って、電力変換器を流れる電流が増大傾向にある。この電流の増大に対応するべく、電力変換器を構成する１つのトランジスタを、並列接続された２つのトランジスタで構成することが考えられている。
【０００５】
この並列接続された２つのトランジスタのゲート電極それぞれに、非特許文献１に記載の複数のスイッチを同じ数だけ設けることが考えられる。しかしながらこの場合、体格の増大、という問題が生じる。
【０００６】
そこで本明細書に記載の開示物は、体格の増大の抑制された制御回路を提供することを目的とする。
【課題を解決するための手段】
【０００７】
開示の１つは、電位差の生じる第１接続点と第２接続点との間で並列接続されたＩＧＢＴ（３４０）とＭＯＳＦＥＴ（３５０）の駆動を制御する制御回路（６００）であって、
ＩＧＢＴのゲート電極（３４０ｃ）に蓄積された電荷を基準電位に引き抜く第１オフ回路（５０５）と、
ＭＯＳＦＥＴのゲート電極（３５０ｃ）に蓄積された電荷を基準電位に引き抜く第２オフ回路（５０７）と、を有し、
第１オフ回路は、ＩＧＢＴのゲート電極と基準電位とを接続する複数の第１配線（５２１，５２２，５２３）と、複数の第１配線それぞれに設けられる複数の第１スイッチ（５２７，５２８，５２９）と、複数の第１配線のうちの一部に設けられる第１抵抗（５２４，５２５）と、を備え、
第２オフ回路は、ＭＯＳＦＥＴのゲート電極と基準電位とを接続する第２配線（５５１）と、第２配線に設けられる第２スイッチ（５５２）と、第２スイッチとＭＯＳＦＥＴのゲート電極との間に設けられる第２抵抗（５５５）と、ＭＯＳＦＥＴのゲート電極を複数の第１配線のうちの一部に接続する接続配線（５５３，５５６，５５７）と、を備え、
接続配線は第１配線における第１スイッチのＩＧＢＴのゲート電極側に接続されている。
【０００８】
このように本開示では、第２オフ回路（５０７）の接続配線（５５３，５５６，５５７）が第１オフ回路（５０５）の第１配線（５２１，５２２，５２３）に接続されている。これによりＭＯＳＦＥＴ（３５０）のゲート電極（３５０ｃ）は接続配線（５５３，５５６，５５７）を介して第１配線（５２１，５２２，５２３）に接続されている。
【０００９】
この接続配線（５５３，５５６，５５７）の接続された第１配線（５２１，５２２，５２３）に設けられた第１スイッチ（５２７，５２８，５２９）が閉状態になる。すると、ＩＧＢＴ（３４０）のゲート電極（３４０ｃ）とＭＯＳＦＥＴ（３５０）のゲート電極（３５０ｃ）の両方が、第１オフ回路（５０５）の第１スイッチ（５２７，５２８，５２９）を介して基準電位に接続される。
【００１０】
このように、第１オフ回路（５０５）の有する複数の第１スイッチ（５２７，５２８，５２９）のうちの一部が、ＭＯＳＦＥＴ（３５０）のゲート電極（３５０ｃ）と基準電位との接続を制御する機能を果たしている。そのために、第２オフ回路（５０７）の有する第２スイッチ（５５２）の数を、第１オフ回路（５０５）の有する第１スイッチ（５２７，５２８，５２９）の数に比べて少なくすることができる。これにより制御回路（６００）の体格の増大が抑制される。
【００１１】
なお、上記の括弧内の参照番号は、後述の実施形態に記載の構成との対応関係を示すものに過ぎず、技術的範囲を何ら制限するものではない。
【図面の簡単な説明】
【００１２】
【図１】車載システムを説明するための回路図である。
【図２】開閉部とゲートドライバを説明するための回路図である。
【図３】正常時のオンオフ制御を説明するためのタイミングチャートである。
【図４】異常時のオンオフ制御を説明するためのタイミングチャートである。
【図５】正常時のオンオフ制御を説明するためのタイミングチャートである。
【図６】異常時のオンオフ制御を説明するためのタイミングチャートである。
【図７】開閉部とゲートドライバを説明するための回路図である。
【図８】正常時のオンオフ制御を説明するためのタイミングチャートである。
【図９】異常時のオンオフ制御を説明するためのタイミングチャートである。
【図１０】車載システムの変形例を示す回路図である。
【発明を実施するための形態】
【００１３】
以下、実施形態を図に基づいて説明する。
【００１４】
（第１実施形態）
＜車載システム＞
先ず、図１に基づいて車載システム１００を説明する。この車載システム１００は電気自動車用のシステムを構成している。車載システム１００は、バッテリ２００、電力変換器３００、および、モータ４００を有する。
【００１５】
また車載システム１００は複数のＥＣＵを有する。図１ではこれら複数のＥＣＵの代表として、電池ＥＣＵ５０１とＭＧＥＣＵ５０２を図示している。これら複数のＥＣＵはバス配線５００を介して相互に信号を送受信している。複数のＥＣＵは協調して電気自動車を制御している。複数のＥＣＵの制御により、バッテリ２００のＳＯＣに応じたモータ４００の回生と力行が制御される。ＳＯＣはstate of chargeの略である。ＥＣＵはelectronic control unitの略である。
【００１６】
なお、ＥＣＵは、少なくとも１つの演算処理装置（ＣＰＵ）と、プログラムおよびデータを記憶する記憶媒体としての少なくとも１つのメモリ装置（ＭＭＲ）と、を有する。ＥＣＵはコンピュータによって読み取り可能な記憶媒体を備えるマイクロコンピュータによって提供される。記憶媒体はコンピュータによって読み取り可能なプログラムを非一時的に格納する非遷移的実体的記憶媒体である。記憶媒体は半導体メモリまたは磁気ディスクなどによって提供され得る。以下、車載システム１００の構成要素を個別に概説する。
【００１７】
バッテリ２００は複数の二次電池を有する。これら複数の二次電池は直列接続された電池スタックを構成している。この電池スタックのＳＯＣがバッテリ２００のＳＯＣに相当する。二次電池としてはリチウムイオン二次電池、ニッケル水素二次電池、および、有機ラジカル電池などを採用することができる。
【００１８】
電力変換器３００はバッテリ２００とモータ４００との間の電力変換を行う。電力変換器３００はバッテリ２００の直流電力をモータ４００の力行に適した電圧レベルの交流電力に変換する。電力変換器３００はモータ４００の発電（回生）によって生成された交流電力をバッテリ２００の充電に適した電圧レベルの直流電力に変換する。電力変換器３００については後で詳説する。
【００１９】
モータ４００は図示しない電気自動車の出力軸に連結されている。モータ４００の回転エネルギーは出力軸を介して電気自動車の走行輪に伝達される。逆に、走行輪の回転エネルギーは出力軸を介してモータ４００に伝達される。
【００２０】
モータ４００は電力変換器３００から供給される交流電力によって力行する。これにより走行輪への推進力の付与が成される。またモータ４００は走行輪から伝達される回転エネルギーによって回生する。この回生によって発生した交流電力は、電力変換器３００によって直流電力に変換されるとともに降圧される。この直流電力がバッテリ２００に供給される。また直流電力は電気自動車に搭載された各種電気負荷にも供給される。
【００２１】
＜電力変換器＞
次に電力変換器３００を説明する。電力変換器３００はコンバータ３１０とインバータ３２０を備えている。コンバータ３１０はバッテリ２００の直流電力をモータ４００の力行に適した電圧レベルに昇圧する。インバータ３２０はこの直流電力を交流電力に変換する。この交流電力がモータ４００に供給される。またインバータ３２０はモータ４００で生成された交流電力を直流電力に変換する。コンバータ３１０はこの直流電力をバッテリ２００の充電に適した電圧レベルに降圧する。
【００２２】
図１に示すようにコンバータ３１０は第１電力ライン３０１と第２電力ライン３０２を介してバッテリ２００と電気的に接続されている。コンバータ３１０は第３電力ライン３０３と第４電力ライン３０４を介してインバータ３２０と電気的に接続されている。
【００２３】
第１電力ライン３０１はバッテリ２００の正極に接続されている。第２電力ライン３０２はバッテリ２００の負極に接続されている。これら第１電力ライン３０１と第２電力ライン３０２に第１平滑コンデンサ３０５が接続されている。第１平滑コンデンサ３０５の有する２つの電極のうちの一方が第１電力ライン３０１に接続され、他方が第２電力ライン３０２に接続されている。
【００２４】
第３電力ライン３０３は後述のハイサイド開閉部３１１と接続されている。第４電力ライン３０４は第２電力ライン３０２と接続されている。これら第３電力ライン３０３と第４電力ライン３０４に第２平滑コンデンサ３０６が接続されている。第２平滑コンデンサ３０６の有する２つの電極のうちの一方が第３電力ライン３０３に接続され、他方が第４電力ライン３０４に接続されている。
【００２５】
インバータ３２０はＵ相バスバー３３１〜Ｗ相バスバー３３３を介してモータ４００のＵ相ステータコイル４０１〜Ｗ相ステータコイル４０３と電気的に接続されている。
【００２６】
＜コンバータ＞
コンバータ３１０は、ハイサイド開閉部３１１、ローサイド開閉部３１２、および、リアクトル３１３を有する。これらハイサイド開閉部３１１とローサイド開閉部３１２は、後で詳説するように、並列接続されたＮチャネル型のパワーＭＯＳＦＥＴとＩＧＢＴを有する。パワーＭＯＳＦＥＴは寄生ダイオードを有する。ＩＧＢＴには還流ダイオードが逆並列接続されている。
【００２７】
図１に示すようにハイサイド開閉部３１１とローサイド開閉部３１２は第３電力ライン３０３から第２電力ライン３０２（第４電力ライン３０４）に向かって順に直列接続されている。そしてハイサイド開閉部３１１とローサイド開閉部３１２との間の中点に第１電力ライン３０１が接続されている。第１電力ライン３０１にリアクトル３１３が設けられている。これによりリアクトル３１３はハイサイド開閉部３１１とローサイド開閉部３１２との間の中点とバッテリ２００の正極とに接続されている。
【００２８】
コンバータ３１０のハイサイド開閉部３１１とローサイド開閉部３１２はＭＧＥＣＵ５０２によって開閉制御される。ＭＧＥＣＵ５０２は制御信号を生成し、それをゲートドライバ５０３に出力する。ゲートドライバ５０３は制御信号を増幅して開閉部のゲート電極に出力する。これによりＭＧＥＣＵ５０２はコンバータ３１０に入力される直流電力の電圧レベルを昇降圧する。
【００２９】
ＭＧＥＣＵ５０２は制御信号としてパルス信号を生成している。ＭＧＥＣＵ５０２はこのパルス信号のオンデューティ比と周波数を調整することで直流電力の昇降圧レベルを調整している。このようにＭＧＥＣＵ５０２はコンバータ３１０をＰＷＭ制御している。昇降圧レベルはモータ４００の目標トルクとバッテリ２００のＳＯＣに応じて決定される。
【００３０】
バッテリ２００の直流電力を昇圧する場合、ＭＧＥＣＵ５０２はハイサイド開閉部３１１とローサイド開閉部３１２それぞれを交互に開閉する。これとは反対にインバータ３２０から供給された直流電力を降圧する場合、ＭＧＥＣＵ５０２はローサイド開閉部３１２に出力する制御信号をローレベルに固定する。それとともにＭＧＥＣＵ５０２はハイサイド開閉部３１１に出力する制御信号をハイレベルとローレベルに順次切り換える。
【００３１】
＜インバータ＞
インバータ３２０は第１開閉部３２１〜第６開閉部３２６を有する。第１開閉部３２１〜第６開閉部３２６は、コンバータ３１０の開閉部と同様にして、並列接続されたＮチャネル型のパワーＭＯＳＦＥＴとＩＧＢＴを有する。パワーＭＯＳＦＥＴは寄生ダイオードを有する。ＩＧＢＴには還流ダイオードが逆並列接続されている。
【００３２】
第１開閉部３２１と第２開閉部３２２は第３電力ライン３０３から第４電力ライン３０４へ向かって順に直列接続されている。第１開閉部３２１と第２開閉部３２２によってＵ相レグが構成されている。第１開閉部３２１と第２開閉部３２２との間の中点にＵ相バスバー３３１の一端が接続されている。Ｕ相バスバー３３１の他端がモータ４００のＵ相ステータコイル４０１と接続されている。
【００３３】
第３開閉部３２３と第４開閉部３２４は第３電力ライン３０３から第４電力ライン３０４へ向かって順に直列接続されている。第３開閉部３２３と第４開閉部３２４によってＶ相レグが構成されている。第３開閉部３２３と第４開閉部３２４との間の中点にＶ相バスバー３３２の一端が接続されている。Ｖ相バスバー３３２の他端がモータ４００のＶ相ステータコイル４０２と接続されている。
【００３４】
第５開閉部３２５と第６開閉部３２６は第３電力ライン３０３から第４電力ライン３０４へ向かって順に直列接続されている。第５開閉部３２５と第６開閉部３２６によってＷ相レグが構成されている。第５開閉部３２５と第６開閉部３２６との間の中点にＷ相バスバー３３３の一端が接続されている。Ｗ相バスバー３３３の他端がモータ４００のＷ相ステータコイル４０３と接続されている。
【００３５】
以上に示したようにインバータ３２０はモータ４００のＵ相ステータコイル４０１〜Ｗ相ステータコイル４０３それぞれに対応する３相のレグを有する。これら３相のレグを構成する第１開閉部３２１〜第６開閉部３２６のゲート電極に、ゲートドライバ５０３によって増幅されたＭＧＥＣＵ５０２の制御信号が入力される。
【００３６】
モータ４００を力行する場合、ＭＧＥＣＵ５０２からの制御信号の出力によって第１開閉部３２１〜第６開閉部３２６がＰＷＭ制御される。これによりインバータ３２０で３相交流が生成される。モータ４００が発電（回生）する場合、ＭＧＥＣＵ５０２は例えば制御信号の出力を停止する。これによりモータ４００の発電によって生成された交流電力が開閉部の有するダイオードを通る。この結果、交流電力が直流電力に変換される。
【００３７】
＜開閉部＞
次に、図２に基づいて開閉部を説明する。図２には、電力変換器３００を構成する８つの開閉部のうちの代表として、第２開閉部３２２を示している。他の開閉部の構成は第２開閉部３２２の構成と同等である。そのためにその説明を省略する。
【００３８】
第２開閉部３２２はＩＧＢＴ３４０とＭＯＳＦＥＴ３５０を有する。ＩＧＢＴは半導体で製造される。ＭＯＳＦＥＴはワイドギャップ半導体で製造される。本実施形態ではＩＧＢＴはＳｉで製造される。ＭＯＳＦＥＴはＳｉＣで製造される。ＭＯＳＦＥＴ３５０はＩＧＢＴ３４０よりもターンオン遅延時間とターンオフ遅延時間がともに短くなっている。
【００３９】
ＩＧＢＴ３４０とＭＯＳＦＥＴ３５０それぞれは、半導体チップに形成された数千個のトランジスタが連結されてなるパワートランジスタである。この数千個のトランジスタは、電力変換器３００を流れる電流を制御する役割を果たす第１トランジスタと、流れる電流を検出する役割を果たす第２トランジスタと、に種別される。
【００４０】
第１トランジスタに流れる電流と第２トランジスタに流れる電流の比は、およそ８０００対１である。そのために第２トランジスタに流れる電流の量は微量となっている。
【００４１】
ＩＧＢＴ３４０は、コレクタ電極３４０ａ、エミッタ電極３４０ｂ、ゲート電極３４０ｃ、および、センサ電極３４０ｄを有する。これら４つの電極のうち、コレクタ電極３４０ａとゲート電極３４０ｃが第１トランジスタと第２トランジスタで共有となっている。これに対して、エミッタ電極３４０ｂとセンサ電極３４０ｄが第１トランジスタと第２トランジスタで分けられている。第１トランジスタがエミッタ電極３４０ｂを有する。第２トランジスタがセンサ電極３４０ｄを有する。このセンサ電極３４０ｄに流れる電流の量が、エミッタ電極３４０ｂに流れる電流に比べて微量となっている。その比が１：８０００となっている。以下においてはこの比をセンサ比と示す。ＭＧＥＣＵ５０２はこのセンサ比を記憶している。
【００４２】
ＭＯＳＦＥＴ３５０は、ドレイン電極３５０ａ、ソース電極３５０ｂ、ゲート電極３５０ｃ、および、センサ電極３５０ｄを有する。これら４つの電極のうち、ドレイン電極３５０ａとゲート電極３５０ｃが第１トランジスタと第２トランジスタで共有となっている。これに対して、ソース電極３５０ｂとセンサ電極３５０ｄが第１トランジスタと第２トランジスタで分けられている。第１トランジスタがソース電極３５０ｂを有する。第２トランジスタがセンサ電極３５０ｄを有する。このセンサ電極３５０ｄに流れる電流の量が、ソース電極３５０ｂに流れる電流に比べて微量となっている。その比が上記のセンサ比と同等になっている。
【００４３】
図２に示すようにＩＧＢＴ３４０には還流ダイオード３４１が接続されている。還流ダイオード３４１のカソード電極がコレクタ電極３４０ａに接続されている。還流ダイオード３４１のアノード電極がエミッタ電極３４０ｂに接続されている。これによって還流ダイオード３４１はＩＧＢＴ３４０に逆並列接続されている。
【００４４】
ＭＯＳＦＥＴ３５０は寄生ダイオード３５１を有する。この寄生ダイオード３５１のカソード電極がドレイン電極３５０ａに接続されている。寄生ダイオード３５１のアノード電極がソース電極３５０ｂに接続されている。これによって寄生ダイオード３５１はＭＯＳＦＥＴ３５０に逆並列接続されている。
【００４５】
図２に示すようにＩＧＢＴ３４０のコレクタ電極３４０ａとＭＯＳＦＥＴ３５０のドレイン電極３５０ａが電気的に接続されている。そしてエミッタ電極３４０ｂとソース電極３５０ｂが電気的に接続されている。これによってＩＧＢＴ３４０とＭＯＳＦＥＴ３５０は並列接続されている。
【００４６】
コレクタ電極３４０ａとドレイン電極３５０ａの接続点は第３電力ライン３０３側に位置している。エミッタ電極３４０ｂとソース電極３５０ｂの接続点は第４電力ライン３０４（第２電力ライン３０２）側に位置している。コレクタ電極３４０ａとドレイン電極３５０ａの接続点が第１接続点に相当する。エミッタ電極３４０ｂとソース電極３５０ｂの接続点が第２接続点に相当する。
【００４７】
ＩＧＢＴ３４０のセンサ電極３４０ｄは第１センサ抵抗３４２を介してグランドに接続されている。このために第１センサ抵抗３４２には、センサ電極３４０ｄからグランドに向かって微量な電流が流れる。この微量な電流は、ＩＧＢＴ３４０のコレクタ−エミッタ間を流れる電流（コレクタ電流）に依存する。
【００４８】
第１センサ抵抗３４２に微量な電流が流動することによって、第１センサ抵抗３４２のセンサ電極３４０ｄ側の電圧が変動する。この第１センサ抵抗３４２のセンサ電極３４０ｄ側の電圧が、ＭＧＥＣＵ５０２に入力される。ＭＧＥＣＵ５０２は第１センサ抵抗３４２の抵抗値を記憶している。ＭＧＥＣＵ５０２は入力された電圧、記憶している抵抗値、および、センサ比に基づいてコレクタ電流を検出する。
【００４９】
ＭＯＳＦＥＴ３５０のセンサ電極３５０ｄは第２センサ抵抗３５２を介してグランドに接続されている。このために第２センサ抵抗３５２には、センサ電極３５０ｄからグランドに向かって微量な電流が流れる。この微量な電流は、ＭＯＳＦＥＴ３５０のドレイン−ソース間を流れる電流（ドレイン電流）に依存する。
【００５０】
第２センサ抵抗３５２に微量な電流が流動することによって、第２センサ抵抗３５２のセンサ電極３５０ｄ側の電圧が変動する。この第２センサ抵抗３５２のセンサ電極３５０ｄ側の電圧が、ＭＧＥＣＵ５０２に入力される。ＭＧＥＣＵ５０２は第２センサ抵抗３５２の抵抗値を記憶している。ＭＧＥＣＵ５０２は入力された電圧、記憶している抵抗値、および、センサ比に基づいてドレイン電流を検出する。
【００５１】
ＭＧＥＣＵ５０２が制御部に相当する。第１センサ抵抗３４２と第２センサ抵抗３５２がセンサに相当する。
【００５２】
＜ゲートドライバ＞
次に、図２に基づいてゲートドライバ５０３を説明する。図２には、ゲートドライバ５０３における第２開閉部３２２の駆動を制御する部位を示している。ゲートドライバ５０３の他の開閉部を制御する部位は、図２に示す部位と同等である。そのためにその説明を省略する。
【００５３】
なお、図２ではＭＧＥＣＵ５０２を図示していないが、ＭＧＥＣＵ５０２とゲートドライバ５０３を有する制御回路を明示するための符号６００を示す。この制御回路６００は、ＭＧＥＣＵ５０２とゲートドライバ５０３の他に、第１センサ抵抗３４２と第２センサ抵抗３５２を有する。
【００５４】
ゲートドライバ５０３はＩＧＢＴ３４０のゲート電極３４０ｃに接続される第１オン回路５０４と第１オフ回路５０５を有する。同様にして、ゲートドライバ５０３はＭＯＳＦＥＴ３５０のゲート電極３５０ｃに接続される第２オン回路５０６と第２オフ回路５０７を有する。
【００５５】
＜第１オン回路＞
第１オン回路５０４は、第１制御配線５１０、電源５１１、第１オンスイッチ５１２、および、第１オン抵抗５１３を有する。電源５１１とＩＧＢＴ３４０のゲート電極３４０ｃとが第１制御配線５１０を介して接続されている。この第１制御配線５１０に第１オンスイッチ５１２と第１オン抵抗５１３が設けられている。第１オンスイッチ５１２と第１オン抵抗５１３は電源５１１からゲート電極３４０ｃに向かって順に直列接続されている。
【００５６】
第１オンスイッチ５１２はＰチャネル型ＭＯＳＦＥＴである。第１オンスイッチ５１２のゲート電極にＭＧＥＣＵ５０２の出力する制御信号に基づく駆動信号が入力される。これにより第１オンスイッチ５１２がオンオフ制御される。
【００５７】
第１オンスイッチ５１２がオフ状態からオン状態になると、第１オン抵抗５１３と後述の第１バランス抵抗５３０とによって電圧降下された電源５１１の電圧（電源電圧）がゲート電極３４０ｃに印加される。これによりＩＧＢＴ３４０はオフ状態からオン状態になる。これとは逆に第１オンスイッチ５１２がオン状態からオフ状態になると、電源電圧のゲート電極３４０ｃへの印加が停止する。これによりＩＧＢＴ３４０はオン状態からオフ状態に遷移しようとする。
【００５８】
＜第１オフ回路＞
第１オフ回路５０５は、第１基準配線５２１、第２基準配線５２２、第３基準配線５２３、第１オフ抵抗５２４、第２オフ抵抗５２５、第１ダイオード５２６、第１オフスイッチ５２７、第２オフスイッチ５２８、第３オフスイッチ５２９を有する。また第１オフ回路５０５は、第１制御配線５１０に設けられる第１バランス抵抗５３０を有する。第１バランス抵抗５３０は、第１制御配線５１０において第１オン抵抗５１３とゲート電極３４０ｃとの間に設けられている。第１オン回路５０４と第１オフ回路５０５は第１制御配線５１０と第１バランス抵抗５３０を共有している。
【００５９】
第１基準配線５２１と第２基準配線５２２それぞれの一端は、第１制御配線５１０における第１オン抵抗５１３と第１バランス抵抗５３０との間に接続されている。第３基準配線５２３の一端は、第１制御配線５１０における第１バランス抵抗５３０とゲート電極３４０ｃとの間に接続されている。そしてこれら第１基準配線５２１〜第３基準配線５２３それぞれの他端はグランドに接続されている。なお、第１基準配線５２１〜第３基準配線５２３それぞれの他端は例えば−５Ｖの負電源に接続されてもよい。グランド若しくは負電源が基準電位に相当する。
【００６０】
第１基準配線５２１に第１オフ抵抗５２４と第１オフスイッチ５２７が設けられている。第１オフ抵抗５２４と第１オフスイッチ５２７は第１基準配線５２１の一端から他端に向かって順に直列接続されている。
【００６１】
第２基準配線５２２に第２オフ抵抗５２５と第２オフスイッチ５２８が設けられている。第２オフ抵抗５２５と第２オフスイッチ５２８は第２基準配線５２２の一端から他端に向かって順に直列接続されている。
【００６２】
第３基準配線５２３に第１ダイオード５２６と第３オフスイッチ５２９が設けられている。第１ダイオード５２６と第３オフスイッチ５２９は第３基準配線５２３の一端から他端に向かって順に直列接続されている。
【００６３】
第１ダイオード５２６のアノード電極は第３基準配線５２３の一端側に接続されている。第１ダイオード５２６のカソード電極は第３基準配線５２３の他端側に接続されている。そのために第１ダイオード５２６のアノード電極はゲート電極３４０ｃに接続されている。第１ダイオード５２６のカソード電極は第３オフスイッチ５２９に接続されている。
【００６４】
第１オフスイッチ５２７〜第３オフスイッチ５２９はＮチャネル型ＭＯＳＦＥＴである。これら３つのオフスイッチのゲート電極にＭＧＥＣＵ５０２の出力する制御信号に基づく駆動信号が入力される。これによりオフスイッチがオンオフ制御される。
【００６５】
第１オフスイッチ５２７がオフ状態からオン状態になると、第１バランス抵抗５３０と第１オフ抵抗５２４を介してゲート電極３４０ｃがグランドに接続される。これによりＩＧＢＴ３４０に蓄積された電荷がグランドに流れる。ＩＧＢＴ３４０はオン状態からオフ状態になる。
【００６６】
第２オフスイッチ５２８がオフ状態からオン状態になると、第１バランス抵抗５３０と第２オフ抵抗５２５を介してゲート電極３４０ｃがグランドに接続される。これによりＩＧＢＴ３４０に蓄積された電荷がグランドに流れる。ＩＧＢＴ３４０はオン状態からオフ状態になる。
【００６７】
第２オフ抵抗５２５は第１オフ抵抗５２４よりも抵抗値が高い。したがって第２オフスイッチ５２８をオン状態にした場合、第１オフスイッチ５２７をオン状態にした時と比べて、ＩＧＢＴ３４０に蓄積された電荷は緩やかにグランドに流れる。そのためにＩＧＢＴ３４０のオン状態からオフ状態への遷移は緩やかになる。ＩＧＢＴ３４０のコレクタ電極３４０ａとエミッタ電極３４０ｂとの間を流れるコレクタ電流の時間変化が緩やかになる。そのためにＩＧＢＴ３４０のコレクタ電流の電流量が大きくとも、その電流量の時間変化の増大が抑制される。
【００６８】
第３オフスイッチ５２９がオフ状態からオン状態になると、第１ダイオード５２６を介してゲート電極３４０ｃがグランドに接続される。これによりＩＧＢＴ３４０は低インピーダンスでグランドに接続される。ＩＧＢＴ３４０のオフ状態が固定される。
【００６９】
この第３オフスイッチ５２９のオフ状態からオン状態への制御は、第１オフスイッチ５２７若しくは第２オフスイッチ５２８のオンによるＩＧＢＴ３４０の電荷の引き抜きを終えた後に行われる。
【００７０】
第１基準配線５２１〜第３基準配線５２３が第１配線に相当する。第１オフスイッチ５２７〜第３オフスイッチ５２９が第１スイッチに相当する。第１オフ抵抗５２４と第２オフ抵抗５２５が第１抵抗に相当する。そして、第１基準配線５２１と第２基準配線５２２が第３配線に相当する。第３基準配線５２３が第４配線に相当する。
【００７１】
次に、ＭＯＳＦＥＴ３５０のゲート電極３５０ｃに接続される第２オン回路５０６と第２オフ回路５０７を説明する。
【００７２】
＜第２オン回路＞
第２オン回路５０６は、第２制御配線５４０、電源５４１、第２オンスイッチ５４２、および、第２オン抵抗５４３を有する。電源５４１とＭＯＳＦＥＴ３５０のゲート電極３５０ｃとが第２制御配線５４０を介して接続されている。この第２制御配線５４０に第２オンスイッチ５４２と第２オン抵抗５４３が設けられている。第２オンスイッチ５４２と第２オン抵抗５４３は電源５４１からゲート電極３５０ｃに向かって順に直列接続されている。なお電源５４１と電源５１１は同一でもよいし、別でもよい。
【００７３】
第２オンスイッチ５４２はＰチャネル型ＭＯＳＦＥＴである。第２オンスイッチ５４２のゲート電極にＭＧＥＣＵ５０２の出力する制御信号に基づく駆動信号が入力される。これにより第２オンスイッチ５４２がオンオフ制御される。
【００７４】
第２オンスイッチ５４２がオフ状態からオン状態になると、第２オン抵抗５４３と後述の第２バランス抵抗５５５とによって電圧降下された電源５４１の電圧（電源電圧）がゲート電極３５０ｃに印加される。これによりＭＯＳＦＥＴ３５０はオフ状態からオン状態になる。これとは逆に第２オンスイッチ５４２がオン状態からオフ状態になると、電源電圧のゲート電極３５０ｃへの印加が停止する。これによりＭＯＳＦＥＴ３５０はオン状態からオフ状態に遷移しようとする。
【００７５】
＜第２オフ回路＞
第２オフ回路５０７は、第４基準配線５５１、第４オフスイッチ５５２、接続配線５５３、第２ダイオード５５４、および、第２バランス抵抗５５５を有する。この第２バランス抵抗５５５は第２制御配線５４０に設けられる。第２バランス抵抗５５５は、第２制御配線５４０において第２オン抵抗５４３とゲート電極３５０ｃとの間に設けられている。第２オン回路５０６と第２オフ回路５０７は第２制御配線５４０と第２バランス抵抗５５５を共有している。
【００７６】
第４基準配線５５１の一端は、第２制御配線５４０における第２オン抵抗５４３と第２バランス抵抗５５５との間に接続されている。そして第４基準配線５５１の他端はグランドに接続されている。この第４基準配線５５１に第４オフスイッチ５５２が設けられている。なお、第４基準配線５５１の他端は例えば−５Ｖの負電源に接続されてもよい。
【００７７】
第４オフスイッチ５５２はＮチャネル型ＭＯＳＦＥＴである。第４オフスイッチ５５２のゲート電極にＭＧＥＣＵ５０２の出力する制御信号に基づく駆動信号が入力される。これにより第４オフスイッチ５５２がオンオフ制御される。
【００７８】
第４オフスイッチ５５２がオフ状態からオン状態になると、第２バランス抵抗５５５を介してゲート電極３５０ｃがグランドに接続される。これによりＭＯＳＦＥＴ３５０に蓄積された電荷がグランドに流れる。ＭＯＳＦＥＴ３５０はオン状態からオフ状態になる。
【００７９】
接続配線５５３の一端は、第２制御配線５４０における第２バランス抵抗５５５とゲート電極３５０ｃとの間に接続されている。そして接続配線５５３の他端は、第１オフ回路５０５の第３基準配線５２３における第１ダイオード５２６と第３オフスイッチ５２９との間に接続されている。この接続配線５５３に第２ダイオード５５４が設けられている。
【００８０】
第２ダイオード５５４のアノード電極は接続配線５５３の一端側に接続されている。第２ダイオード５５４のカソード電極は接続配線５５３の他端側に接続されている。このために第２ダイオード５５４のアノード電極はＭＯＳＦＥＴ３５０のゲート電極３５０ｃと接続されている。第２ダイオード５５４のカソード電極は第１ダイオード５２６のカソード電極と第３オフスイッチ５２９のドレイン電極との間の中点に接続されている。
【００８１】
以上に示した接続構成により、ゲート電極３５０ｃとゲート電極３４０ｃは、第２制御配線５４０、接続配線５５３、第２ダイオード５５４、第３基準配線５２３、第１ダイオード５２６、および、第１制御配線５１０を介して接続されている。そして上記した２つのダイオードの接続形態により、ゲート電極３５０ｃとゲート電極３４０ｃとの間の通電が抑制されている。
【００８２】
すなわち、ＭＯＳＦＥＴ３５０のゲート電極３５０ｃからＩＧＢＴ３４０のゲート電極３４０ｃへの通電が、この通電方向に対して逆接続態様の第１ダイオード５２６によって抑制されている。ＩＧＢＴ３４０のゲート電極３４０ｃからＭＯＳＦＥＴ３５０のゲート電極３５０ｃへの通電が、この通電方向に対して逆接続態様の第２ダイオード５５４によって抑制されている。これによりゲート容量や配線のインダクタンス成分などに起因する寄生共振による電流がゲート電極３５０ｃとゲート電極３４０ｃとの間で流れることが抑制されている。
【００８３】
また、上記したように第２制御配線５４０は接続配線５５３を介して第３基準配線５２３に接続されている。したがって、上記したように第３基準配線５２３に設けられた第３オフスイッチ５２９がオフ状態からオン状態になると、第２ダイオード５５４を介してゲート電極３５０ｃがグランドに接続される。これによりＭＯＳＦＥＴ３５０は低インピーダンスでグランドに接続される。ＭＯＳＦＥＴ３５０のオフ状態が固定される。
【００８４】
第４基準配線５５１が第２配線に相当する。第４オフスイッチ５５２が第２スイッチに相当する。第２バランス抵抗５５５が第２抵抗に相当する。
【００８５】
＜オンオフ制御＞
次に、図３および図４に基づいてＩＧＢＴ３４０とＭＯＳＦＥＴ３５０のオンオフ制御を説明する。図３は、ＩＧＢＴ３４０とＭＯＳＦＥＴ３５０それぞれに異常が発生していないとＭＧＥＣＵ５０２が判断した際のオンオフ制御を示している。これに対して図４は、ＩＧＢＴ３４０とＭＯＳＦＥＴ３５０の少なくとも一方に異常が発生したとＭＧＥＣＵ５０２が判断した際のオンオフ制御を示している。このような異常は、上記のセンサ抵抗を流れる電流などに基づいて検出される。
【００８６】
図３および図４では、ＩＧＢＴ３４０のゲート−エミッタ間の電圧をＶｇｅ、ＭＯＳＦＥＴ３５０のゲート−ソース間の電圧をＶｇｓと示している。これら電圧をＭＧＥＣＵ５０２は所定周期で検出している。また図３および図４では各スイッチのゲート電極に入力される駆動信号も示している。
【００８７】
＜正常時のオンオフ制御＞
図３の時間ｔ０において、第１オンスイッチ５１２と第２オンスイッチ５４２はともにオフ状態になっている。これに対して第１オフスイッチ５２７と第３オフスイッチ５２９がオン状態になっている。これにより電圧Ｖｇｅと電圧Ｖｇｓはそれぞれグランド電位になっている。ＩＧＢＴ３４０とＭＯＳＦＥＴ３５０はそれぞれオフ状態になっている。
【００８８】
なお図３において第２オフスイッチ５２８と第４オフスイッチ５５２は常時オフ状態になっている。これは、第２オフスイッチ５２８と第４オフスイッチ５５２が、本実施形態では異常検出時に制御されるスイッチのためである。上記したように図３は異常が発生していないとＭＧＥＣＵ５０２が判断した際のオンオフ制御を示している。そのために図３において第２オフスイッチ５２８と第４オフスイッチ５５２は常時オフ状態になっている。以下においては第２オフスイッチ５２８と第４オフスイッチ５５２の説明を省略する。
【００８９】
時間ｔ０から時間ｔ１に至ると、ＭＧＥＣＵ５０２は第１オンスイッチ５１２をオン状態にするとともに、第１オフスイッチ５２７と第３オフスイッチ５２９をオフ状態にする。これによりＩＧＢＴ３４０のゲート電極３４０ｃに電源電圧が印加される。ＩＧＢＴ３４０のゲート−エミッタ間の容量が充電され始める。
【００９０】
時間ｔ２に至ると、ＩＧＢＴ３４０は完全にオン状態になる。この際、ミラー効果のために電圧Ｖｇｅは一定になる。
【００９１】
時間ｔ３に至ると、ＭＧＥＣＵ５０２は、電圧Ｖｇｅの時間変化が一定であるために、ＩＧＢＴ３４０が完全にオン状態になったと判断する。そしてＭＧＥＣＵ５０２は第２オンスイッチ５４２をオン状態にする。これによりＭＯＳＦＥＴ３５０のゲート電極３５０ｃに電源電圧が印加される。ＭＯＳＦＥＴ３５０のゲート−ソース間の容量が充電され始める。この後にＭＯＳＦＥＴ３５０はオン状態になる。これによりＩＧＢＴ３４０とＭＯＳＦＥＴ３５０の両方に電流が流れる。
【００９２】
なお、上記したようにＩＧＢＴ３４０が完全にオン状態になったことを確認したのちにＭＯＳＦＥＴ３５０をオン状態に制御し始めなくともよい。これら並列接続されたＩＧＢＴ３４０とＭＯＳＦＥＴ３５０をオン状態に制御し始めるタイミングは、両者で差があってもよいし、同時でもよい。第１オンスイッチ５１２と第２オンスイッチ５４２の制御タイミングは異なってもよいし、同時でもよい。ただし、第１オフスイッチ５２７と第３オフスイッチ５２９は、ＩＧＢＴ３４０とＭＯＳＦＥＴ３５０のうちの少なくとも一方を制御し始める際、オフ状態に制御される。
【００９３】
時間ｔ４に至ると、ＭＧＥＣＵ５０２は第１オンスイッチ５１２をオフ状態にするとともに、第１オフスイッチ５２７をオン状態にする。これによりＩＧＢＴ３４０のゲート電極３４０ｃに蓄積された電荷が第１バランス抵抗５３０と第１オフ抵抗５２４を介してグランドに流れる。電圧Ｖｇｅが下がり始める。
【００９４】
時間ｔ５に至ると、ＩＧＢＴ３４０は完全にオフ状態になる。この際、ミラー効果のために一定だった電圧Ｖｇｅは減少し始める。
【００９５】
時間ｔ６に至ると、ＭＧＥＣＵ５０２は、電圧Ｖｇｅの時間変化が一定から減少に変化したために、ＩＧＢＴ３４０が完全にオフ状態になったと判断する。そしてＭＧＥＣＵ５０２は第２オンスイッチ５４２をオフ状態にする。それとともにＭＧＥＣＵ５０２は第３オフスイッチ５２９をオン状態にする。これによりＩＧＢＴ３４０とＭＯＳＦＥＴ３５０は低インピーダンスでグランドに接続される。
【００９６】
この際、ＩＧＢＴ３４０に電流は流れていない。そのためにＩＧＢＴ３４０には電流の時間変化に基づくサージ電圧が発生しない。これに対してＭＯＳＦＥＴ３５０には電流が流れている。そのためにＭＯＳＦＥＴ３５０には電流の時間変化に基づくサージ電圧が発生する。しかしながらＭＯＳＦＥＴ３５０は、リーク電流が少なく、サージ電圧の発生時間が短い場合、アバランシェ降伏しない性質を有する。そのためにＭＯＳＦＥＴ３５０はＩＧＢＴ３４０と比べてアバランシェ耐量が高い性質を有する。また本実施形態のＭＯＳＦＥＴ３５０はＳｉＣで製造されている。そのためにＭＯＳＦＥＴ３５０は高耐量ともなっている。これらのため、上記のサージ電圧の発生によるＭＯＳＦＥＴ３５０の損傷が抑制されている。
【００９７】
＜異常時のオンオフ制御＞
図４の時間ｔ０〜時間ｔ３までの制御と、図３の時間ｔ０〜時間ｔ３までの制御は同一である。そのためにその説明を省略する。
【００９８】
図４に示す、時間ｔ３以後のＩＧＢＴ３４０とＭＯＳＦＥＴ３５０の両方がオン状態となっている時間ｔ７において、ＩＧＢＴ３４０とＭＯＳＦＥＴ３５０のうちの少なくとも一方に異常が発生したとする。そしてこの異常の発生を、時間ｔ７後の時間ｔ８においてＭＧＥＣＵ５０２が認識したとする。
【００９９】
このような異常を認識すると、ＭＧＥＣＵ５０２は、ＩＧＢＴ３４０とＭＯＳＦＥＴ３５０の通電を止める制御を実施する。すなわちＭＧＥＣＵ５０２は、先ずＩＧＢＴ３４０の通電を止めるべく、第１オンスイッチ５１２をオフ状態する。そしてこの際、ＭＧＥＣＵ５０２は第１オフスイッチ５２７ではなく、第２オフスイッチ５２８をオン状態にする。これによりＩＧＢＴ３４０に蓄積された電荷は、第１オフスイッチ５２７をオン状態にした時と比べて緩やかにグランドに流れる。そのためにＩＧＢＴ３４０のオン状態からオフ状態への遷移が緩やかになる。例えＩＧＢＴ３４０に大電流の流れる異常が発生していたとしても、ＩＧＢＴ３４０を流れている電流の時間変化が急峻となることが抑制される。これによりＩＧＢＴ３４０にサージ電圧が発生することが抑制されている。
【０１００】
時間ｔ９に至ると、ＩＧＢＴ３４０は完全にオフ状態になる。この際に一定だった電圧Ｖｇｅが減少し始める。
【０１０１】
時間ｔ１０に至ると、ＭＧＥＣＵ５０２は電圧Ｖｇｅの時間変化が一定から減少に変化したために、ＩＧＢＴ３４０が完全にオフ状態になったと判断する。そしてＭＧＥＣＵ５０２は第２オンスイッチ５４２をオフ状態にするとともに、第４オフスイッチ５５２をオン状態にする。これによりＭＯＳＦＥＴ３５０に蓄積された電荷は、第２バランス抵抗５５５を介してグランドに流れる。そのためにＭＯＳＦＥＴ３５０のオン状態からオフ状態への遷移が緩やかになる。例えＭＯＳＦＥＴ３５０に大電流の流れる異常が発生していたとしても、ＭＯＳＦＥＴ３５０を流れている電流の時間変化が急峻となることが抑制される。これによりＭＯＳＦＥＴ３５０にサージ電圧が発生することが抑制されている。
【０１０２】
時間ｔ１１に至ると、ＭＧＥＣＵ５０２はＩＧＢＴ３４０とＭＯＳＦＥＴ３５０それぞれの電荷がグランドに流れ切ったと判断する。そしてＭＧＥＣＵ５０２は第３オフスイッチ５２９をオン状態にする。これによりＩＧＢＴ３４０とＭＯＳＦＥＴ３５０それぞれのゲート電極が低インピーダンスでグランドに接続される。ＩＧＢＴ３４０とＭＯＳＦＥＴ３５０それぞれがオフ状態に固定される。なおＭＧＥＣＵ５０２は、第４オフスイッチ５５２をオン状態にしてから所定時間経過後に第３オフスイッチ５２９をオン状態にする。この所定時間は、ＭＯＳＦＥＴ３５０がオン状態からオフ状態に切り換わるのに要する時間に基づいて予め求められている。ＭＧＥＣＵ５０２にこの所定時間が記憶されている。
【０１０３】
＜作用効果＞
上記したように、第２オフ回路５０７の接続配線５５３が第１オフ回路５０５の第３基準配線５２３に接続されている。これによりＭＯＳＦＥＴ３５０のゲート電極３５０ｃが接続配線５５３を介して第３基準配線５２３に接続されている。
【０１０４】
したがって第３基準配線５２３に設けられた第３オフスイッチ５２９が閉状態になると、ＩＧＢＴ３４０のゲート電極３４０ｃだけではなく、ＭＯＳＦＥＴ３５０のゲート電極３５０ｃもグランドに接続される。ＩＧＢＴ３４０とＭＯＳＦＥＴ３５０の両方のゲート電極が第１オフ回路５０５の第３オフスイッチ５２９を介してグランドに接続される。
【０１０５】
このように第１オフ回路５０５の有する複数のオフスイッチのうちの一部が、ＭＯＳＦＥＴ３５０のゲート電極３５０ｃとグランドとの接続を制御する機能を果たしている。そのために、第２オフ回路５０７の有するオフスイッチの数を、第１オフ回路５０５の有するオフスイッチの数に比べて削減することができる。具体的に言えば、図２に明示されてあるようにオフスイッチを２個削減することができる。これによりゲートドライバ５０３の体格の増大が抑制される。制御回路６００の体格の増大が抑制される。
【０１０６】
第３基準配線５２３に第１ダイオード５２６が設けられている。接続配線５５３に第２ダイオード５５４が設けられている。第１ダイオード５２６と第２ダイオード５５４は互いにカソード電極が接続されている。第１ダイオード５２６のアノード電極がＩＧＢＴ３４０のゲート電極３４０ｃに接続されている。第２ダイオード５５４のアノード電極がＭＯＳＦＥＴ３５０のゲート電極３５０ｃに接続されている。
【０１０７】
上記構成により、ＭＯＳＦＥＴ３５０のゲート電極３５０ｃからＩＧＢＴ３４０のゲート電極３４０ｃへの通電が第１ダイオード５２６によって抑制されている。ＩＧＢＴ３４０のゲート電極３４０ｃからＭＯＳＦＥＴ３５０のゲート電極３５０ｃへの通電が第２ダイオード５５４によって抑制されている。
【０１０８】
したがって、寄生共振に起因する電流がゲート電極３５０ｃとゲート電極３４０ｃとの間で流れることが抑制される。このためにＭＯＳＦＥＴ３５０とＩＧＢＴ３４０のオン状態が不安定となることが抑制される。この結果、ドレイン電流とコレクタ電流が不安定になることが抑制される。ＭＯＳＦＥＴ３５０とＩＧＢＴ３４０に損傷が生じるほどに過剰な電流が流れることが抑制される。
【０１０９】
ＩＧＢＴ３４０とＭＯＳＦＥＴ３５０それぞれに異常が発生していないと判断した場合、ＭＧＥＣＵ５０２は第１オフスイッチ５２７をオン状態にしてＩＧＢＴ３４０のゲート電極３４０ｃの電荷を引き抜いた後に、第３オフスイッチ５２９をオン状態にする。
【０１１０】
これによれば、ゲート電極３４０ｃはオン状態の第１オフスイッチ５２７と第１オフ抵抗５２４を介してグランドに接続される。これによりゲート電極３４０ｃの電荷が緩やかにグランドに引き抜かれる。ＩＧＢＴ３４０のコレクタ電流が緩やかに減少する。この後に、ゲート電極３４０ｃはオン状態の第３オフスイッチ５２９を介してグランドに接続される。これによりＩＧＢＴ３４０にサージ電圧が発生することが抑制されるとともに、ゲート電極３４０ｃが低インピーダンスでグランドに接続される。
【０１１１】
これに対してゲート電極３５０ｃは、ゲート電極３５０ｃの電荷がグランドに引き抜かれていない状態で、オン状態の第３オフスイッチ５２９を介してグランドに接続される。このためにゲート電極３５０ｃの電荷が速やかにグランドに引き抜かれる。ＭＯＳＦＥＴ３５０のドレイン電流が急激に減少する。これによりＭＯＳＦＥＴ３５０にサージ電圧が発生する。しかしながらＭＯＳＦＥＴ３５０はＩＧＢＴ３４０と比べてアバランシェ耐量が高い性質を有する。またＭＯＳＦＥＴ３５０はＳｉＣで製造されているために高耐量でもある。そのためにＭＯＳＦＥＴ３５０にこのようなサージ電圧が発生したとしても、ＭＯＳＦＥＴ３５０に損傷が生じることが抑制される。
【０１１２】
ＩＧＢＴ３４０とＭＯＳＦＥＴ３５０の少なくとも一方に異常が発生していると判断した場合、ＭＧＥＣＵ５０２は第２オフスイッチ５２８をオン状態にしてＩＧＢＴ３４０のゲート電極３４０ｃの電荷を引き抜く。そしてＭＧＥＣＵ５０２は第４オフスイッチ５５２をオン状態にしてＭＯＳＦＥＴ３５０のゲート電極３５０ｃの電荷を引き抜く。最後にＭＧＥＣＵ５０２は第３オフスイッチ５２９をオン状態にする。
【０１１３】
これによれば、ゲート電極３４０ｃはオン状態の第２オフスイッチ５２８と第２オフ抵抗５２５を介してグランドに接続される。ゲート電極３５０ｃはオン状態の第４オフスイッチ５５２と第２バランス抵抗５５５を介してグランドに接続される。これによりゲート電極３４０ｃとゲート電極３５０ｃの電荷が緩やかにグランドに引き抜かれる。コレクタ電流とドレイン電流が緩やかに減少する。この後に、ゲート電極３４０ｃとゲート電極３５０ｃがオン状態の第３オフスイッチ５２９を介してグランドに接続される。これによりＩＧＢＴ３４０とＭＯＳＦＥＴ３５０にサージ電圧が発生することが抑制されるとともに、ＩＧＢＴ３４０とＭＯＳＦＥＴ３５０それぞれのゲート電極が低インピーダンスでグランドに接続される。
【０１１４】
（第２実施形態）
次に、第２実施形態を図５および図６に基づいて説明する。以下に示す各実施形態にかかる回路構成は上記した実施形態によるものと共通点が多い。そのため以下においては共通部分の説明を省略し、異なる部分を重点的に説明する。また以下においては上記した実施形態で示した要素と同一の要素には同一の符号を付与する。
【０１１５】
第１実施形態では、正常時のオンオフ制御において、第３オフスイッチ５２９を介してＭＯＳＦＥＴ３５０のゲート電極３５０ｃの電荷を引き抜く例を示した。これに対して本実施形態では、第４オフスイッチ５５２を介してＭＯＳＦＥＴ３５０のゲート電極３５０ｃの電荷を引き抜く。
【０１１６】
図５に正常時のオンオフ制御を示す。図５の時間ｔ０〜時間ｔ３までの制御と、図３の時間ｔ０〜時間ｔ３までの制御とはほぼ同一である。唯一、第３オフスイッチ５２９が時間ｔ１までオン状態であったことが相違するだけで、他は同一である。そのためにその説明を省略する。
【０１１７】
時間ｔ３以後のＩＧＢＴ３４０とＭＯＳＦＥＴ３５０の両方がオン状態となっている時間ｔ２１に至ると、ＭＧＥＣＵ５０２は第２オンスイッチ５４２をオフ状態にするとともに、第４オフスイッチ５５２をオン状態にする。これによりＭＯＳＦＥＴ３５０のゲート電極３５０ｃに蓄積された電荷が第２バランス抵抗５５５を介してグランドに流れる。電圧Ｖｇｓが下がり始める。
【０１１８】
時間ｔ２２に至ると、ＭＯＳＦＥＴ３５０は完全にオフ状態になる。この際、ミラー効果のために一定だった電圧Ｖｇｓは減少し始める。
【０１１９】
時間ｔ２３に至ると、ＭＧＥＣＵ５０２は、電圧Ｖｇｓの時間変化が一定から減少に変化したために、ＭＯＳＦＥＴ３５０が完全にオフ状態になったと判断する。そしてＭＧＥＣＵ５０２は第１オンスイッチ５１２をオフ状態にする。それとともにＭＧＥＣＵ５０２は第１オフスイッチ５２７をオン状態にする。これによりＩＧＢＴ３４０のゲート電極３４０ｃに蓄積された電荷が第１バランス抵抗５３０と第１オフ抵抗５２４を介してグランドに流れる。電圧Ｖｇｅが下がり始める。
【０１２０】
時間ｔ２４に至ると、ＩＧＢＴ３４０は完全にオフ状態になる。この際、ミラー効果のために一定だった電圧Ｖｇｅは減少し始める。
【０１２１】
時間ｔ２４以降の時間ｔ２５において、ＭＧＥＣＵ５０２は第３オフスイッチ５２９をオン状態にする。これによりＩＧＢＴ３４０とＭＯＳＦＥＴ３５０は低インピーダンスでグランドに接続される。この第３オフスイッチ５２９をオン状態にする時間ｔ２５は、時間ｔ２３からＩＧＢＴ３４０がオン状態からオフ状態に切り換わるのに要する所要時間に基づいて求めることができる。ＭＧＥＣＵ５０２にこの所要時間が記憶されている。
【０１２２】
以上に示した制御によれば、ＭＯＳＦＥＴ３５０のゲート電極３５０ｃはオン状態の第４オフスイッチ５５２と第２バランス抵抗５５５を介してグランドに接続される。ＩＧＢＴ３４０のゲート電極３４０ｃはオン状態の第１オフスイッチ５２７と第１オフ抵抗５２４を介してグランドに接続される。これによりＭＯＳＦＥＴ３５０とＩＧＢＴ３４０のゲート電極に蓄積された電荷が緩やかにグランドに引き抜かれる。ドレイン電流とコレクタ電流が緩やかに減少する。この後に、ＭＯＳＦＥＴ３５０とＩＧＢＴ３４０のゲート電極は第３基準配線５２３に設けられたオン状態の第３オフスイッチ５２９を介してグランドに接続される。これによりＭＯＳＦＥＴ３５０とＩＧＢＴ３４０にサージ電圧が発生することが抑制されるとともに、ＭＯＳＦＥＴ３５０とＩＧＢＴ３４０それぞれのゲート電極が低インピーダンスでグランドに接続される。
【０１２３】
なお、上記したようにＭＯＳＦＥＴ３５０をオフ状態にした後にＩＧＢＴ３４０をオフ状態にする例を示した。しかしながらＭＯＳＦＥＴ３５０がオン状態からオフ状態に遷移している際にＩＧＢＴ３４０をオン状態からオフ状態に遷移させ始めてもよい。逆に、ＩＧＢＴ３４０を先にオフ状態に遷移させてから、ＭＯＳＦＥＴ３５０をオフ状態に遷移させてもよい。
【０１２４】
第１実施形態では、異常時のオンオフ制御において、第２オフスイッチ５２８と第４オフスイッチ５５２を順にオン状態にした後に第３オフスイッチ５２９をオン状態にする例を示した。これに対して本実施形態では第２オフスイッチ５２８をオン状態にした後に第３オフスイッチ５２９をオン状態にする。
【０１２５】
図６に異常時のオンオフ制御を示す。図６の時間ｔ０〜時間ｔ３までの制御と、図５の時間ｔ０〜時間ｔ３までの制御は同一である。そのためにその説明を省略する。
【０１２６】
図６に示す、時間ｔ３以後のＩＧＢＴ３４０とＭＯＳＦＥＴ３５０の両方がオン状態となっている時間ｔ２６において、ＩＧＢＴ３４０とＭＯＳＦＥＴ３５０のうちの少なくとも一方に異常が発生したとする。そしてこの異常の発生を、時間ｔ２６後の時間ｔ２７においてＭＧＥＣＵ５０２が認識したとする。
【０１２７】
このような異常を認識すると、ＭＧＥＣＵ５０２は、第１オンスイッチ５１２と第２オンスイッチ５４２をオフ状態する。それとともにＭＧＥＣＵ５０２は第２オフスイッチ５２８をオン状態にする。これによりＩＧＢＴ３４０に蓄積された電荷は緩やかにグランドに流れる。またＭＯＳＦＥＴ３５０のゲート電極３５０ｃへの電源電圧の印加が停止する。そのために電圧Ｖｇｓは逓減し始める。
【０１２８】
時間ｔ２８に至ると、ＩＧＢＴ３４０は完全にオフ状態になる。
【０１２９】
時間ｔ２９に至ると、ＭＧＥＣＵ５０２は電圧Ｖｇｅの時間変化が一定から減少に変化したために、ＩＧＢＴ３４０が完全にオフ状態になったと判断する。そしてＭＧＥＣＵ５０２は第３オフスイッチ５２９をオン状態にする。これによりＩＧＢＴ３４０とＭＯＳＦＥＴ３５０それぞれのゲート電極が低インピーダンスでグランドに接続される。ＩＧＢＴ３４０とＭＯＳＦＥＴ３５０それぞれがオフ状態に固定される。
【０１３０】
この際、ＭＯＳＦＥＴ３５０のゲート電極３５０ｃには、第２オンスイッチ５４２のオフによって多少放電されたものの、電荷が蓄積されている。上記したようにゲート電極３５０ｃは低インピーダンスでグランドに接続される。そのために例えば第４オフスイッチ５５２がオン状態になることで第２バランス抵抗５５５を介してゲート電極３５０ｃがグランドに接続される構成と比べて、電荷は速やかにグランドに引き抜かれる。これにより、一点鎖線で示す第４オフスイッチ５５２をオン状態にした場合の電圧Ｖｇｓと比べて、電圧Ｖｇｓは早くグランド電位になる。そのためにＭＯＳＦＥＴ３５０は早くオン状態からオフ状態に遷移し、ＭＯＳＦＥＴ３５０に電流の流れる時間が短くなる。
【０１３１】
以上に示した制御によれば、第１実施形態と同様にして、ＩＧＢＴ３４０にサージ電圧が発生することが抑制されるとともに、ゲート電極３４０ｃが低インピーダンスでグランドに接続される。
【０１３２】
これに対してＭＯＳＦＥＴ３５０のゲート電極３５０ｃは、多少電荷が残っている状態で、第３基準配線５２３に設けられたオン状態の第３オフスイッチ５２９を介してグランドに接続される。このためにゲート電極３５０ｃの電荷が速やかにグランドに引き抜かれる。ドレイン電流が急激に減少する。これによりＭＯＳＦＥＴ３５０にサージ電圧が発生する。
【０１３３】
例えば通電状態の異常が、通電電流量の増大の場合、ＭＯＳＦＥＴ３５０に生じるサージ電圧は大きくなる。しかしながらこの際に生じるサージ電圧は瞬間的なものである。そして上記したように第２オンスイッチ５４２のオフによって多少なりともゲート電極３５０ｃに蓄積された電荷が放電されている。またこれまでに説明したようにＭＯＳＦＥＴはＩＧＢＴと比べてアバランシェ耐量が高い性質を有する。ＭＯＳＦＥＴ３５０はＳｉＣで製造されるために高耐量ともなっている。これらのため、ＭＯＳＦＥＴ３５０にサージ電圧が発生したとしても、ＭＯＳＦＥＴ３５０に損傷が生じることが抑制される。
【０１３４】
また、このような異常は幾度も起こることは想定されない。１度や数度の異常発生時の制御によってＭＯＳＦＥＴ３５０にサージ電圧が発生したとしても、それによってＭＯＳＦＥＴ３５０に損傷が生じる可能性は高くなりがたいことが想定される。
【０１３５】
さらに言えば、上記したようにＭＯＳＦＥＴ３５０の電荷は速やかにグランドに引き抜かれる。そのためにＭＯＳＦＥＴ３５０にドレイン電流の流れている時間は短くなる。これによってＭＯＳＦＥＴ３５０に損傷が生じることが抑制されてもいる。
【０１３６】
（第３実施形態）
次に、第３実施形態を図７〜図９に基づいて説明する。
【０１３７】
図７に示すように本実施形態の第１オフ回路５０５は、第２オフ抵抗５２５の代わりに第３ダイオード５３１を有する。第３ダイオード５３１は第２基準配線５２２に設けられている。第３ダイオード５３１のアノード電極は第２基準配線５２２の一端側と接続されている。第３ダイオード５３１のカソード電極は第２基準配線５２２の他端側と接続されている。これにより第３ダイオード５３１のアノード電極は第１制御配線５１０に接続されている。第３ダイオード５３１のカソード電極は第２オフスイッチ５２８に接続されている。
【０１３８】
本実施形態の第２オフ回路５０７は、接続配線５５３と第２ダイオード５５４の代わりに、第１接続配線５５６、第２接続配線５５７、第４ダイオード５５８、および、第５ダイオード５５９を有する。
【０１３９】
第１接続配線５５６は第２制御配線５４０と第３基準配線５２３とを接続している。第１接続配線５５６の一端は第２制御配線５４０における第４基準配線５５１との接続点と、第２バランス抵抗５５５との間に接続されている。第１接続配線５５６の他端は第３基準配線５２３における第１ダイオード５２６と第３オフスイッチ５２９との間に接続されている。
【０１４０】
この第１接続配線５５６に第４ダイオード５５８が設けられている。第４ダイオード５５８のアノード電極は第１接続配線５５６の一端側と接続されている。第４ダイオード５５８のカソード電極は第１接続配線５５６の他端側と接続されている。これにより第４ダイオード５５８のアノード電極は第２バランス抵抗５５５を介してＭＯＳＦＥＴ３５０のゲート電極３５０ｃに接続されている。第４ダイオード５５８のカソード電極は第１ダイオード５２６のカソード電極と第３オフスイッチ５２９のドレイン電極との間の中点に接続されている。
【０１４１】
以上に示した接続構成により、ゲート電極３５０ｃとゲート電極３４０ｃは、第２制御配線５４０、第１接続配線５５６、第４ダイオード５５８、第３基準配線５２３、第１ダイオード５２６、および、第１制御配線５１０を介して接続されている。そしてこれら２つのダイオードの接続形態により、ゲート電極３５０ｃとゲート電極３４０ｃとの間の通電が抑制されている。
【０１４２】
すなわち、ゲート電極３５０ｃからゲート電極３４０ｃへの通電が、この通電方向に対して逆接続態様の第１ダイオード５２６によって抑制されている。ゲート電極３４０ｃからゲート電極３５０ｃへの通電が、この通電方向に対して逆接続態様の第４ダイオード５５８によって抑制されている。
【０１４３】
また、第３基準配線５２３に設けられた第３オフスイッチ５２９がオフ状態からオン状態になると、第４ダイオード５５８を介してゲート電極３５０ｃがグランドに接続される。
【０１４４】
第２接続配線５５７は第２制御配線５４０と第２基準配線５２２とを接続している。第２接続配線５５７の一端は第２制御配線５４０における第２バランス抵抗５５５とゲート電極３５０ｃとの間に接続されている。第２接続配線５５７の他端は第２基準配線５２２における第３ダイオード５３１と第２オフスイッチ５２８との間に接続されている。
【０１４５】
この第２接続配線５５７に第５ダイオード５５９が設けられている。第５ダイオード５５９のアノード電極は第２接続配線５５７の一端側と接続されている。第５ダイオード５５９のカソード電極は第２接続配線５５７の他端側と接続されている。これにより第５ダイオード５５９のアノード電極はＭＯＳＦＥＴ３５０のゲート電極３５０ｃに接続されている。第５ダイオード５５９のカソード電極は第３ダイオード５３１のカソード電極と第２オフスイッチ５２８のドレイン電極との間の中点に接続されている。
【０１４６】
以上に示した接続構成により、ゲート電極３５０ｃとゲート電極３４０ｃは、第２制御配線５４０、第２接続配線５５７、第５ダイオード５５９、第２基準配線５２２、第３ダイオード５３１、および、第１制御配線５１０を介して接続されている。そしてこれら２つのダイオードの接続形態により、ゲート電極３５０ｃとゲート電極３４０ｃとの間の通電が抑制されている。
【０１４７】
すなわち、ゲート電極３５０ｃからゲート電極３４０ｃへの通電が、この通電方向に対して逆接続態様の第３ダイオード５３１によって抑制されている。ゲート電極３４０ｃからゲート電極３５０ｃへの通電が、この通電方向に対して逆接続態様の第５ダイオード５５９によって抑制されている。
【０１４８】
また、第２基準配線５２２に設けられた第２オフスイッチ５２８がオフ状態からオン状態になると、第５ダイオード５５９を介してゲート電極３５０ｃがグランドに接続される。
【０１４９】
第１基準配線５２１が第４配線に相当する。第２基準配線５２２が第５配線に相当する。第３基準配線５２３が第６配線に相当する。
【０１５０】
次に、スイッチのオンオフ制御を図８および図９に基づいて説明する。
【０１５１】
図８に正常時のオンオフ制御を示す。図８の時間ｔ０〜時間ｔ３までの制御と、図５の時間ｔ０〜時間ｔ３までの制御とはほぼ同一である。唯一、第１オフスイッチ５２７が時間ｔ１までオン状態であったことが相違するだけで、他は同一である。そのためにその説明を省略する。
【０１５２】
時間ｔ３以後のＩＧＢＴ３４０とＭＯＳＦＥＴ３５０の両方がオン状態となっている時間ｔ３１に至ると、ＭＧＥＣＵ５０２は第１オンスイッチ５１２と第２オンスイッチ５４２をオフ状態にするとともに、第２オフスイッチ５２８をオン状態にする。これによりＩＧＢＴ３４０のゲート電極３４０ｃに蓄積された電荷が第１バランス抵抗５３０を介してグランドに流れる。それとともにＭＯＳＦＥＴ３５０のゲート電極３５０ｃに蓄積された電荷がグランドに流れる。
【０１５３】
時間ｔ３１以降の時間ｔ３２において、ＭＧＥＣＵ５０２は第３オフスイッチ５２９をオン状態にする。これによりＩＧＢＴ３４０とＭＯＳＦＥＴ３５０はともに低インピーダンスでグランドに接続される。この第３オフスイッチ５２９をオン状態にする時間ｔ３２は、時間ｔ３１からの所要時間に基づいて求められる。
【０１５４】
なお、上記のオンオフ制御とは反対に、時間ｔ３１において第３オフスイッチ５２９をオン状態にした後に、時間ｔ３２において第２オフスイッチ５２８をオン状態にしてもよい。
【０１５５】
図９に異常時のオンオフ制御を示す。図９の時間ｔ０〜時間ｔ３までの制御と、図８の時間ｔ０〜時間ｔ３までの制御は同一である。そのためにその説明を省略する。
【０１５６】
図９に示す、時間ｔ３以後のＩＧＢＴ３４０とＭＯＳＦＥＴ３５０の両方がオン状態となっている時間ｔ３３において、ＩＧＢＴ３４０とＭＯＳＦＥＴ３５０のうちの少なくとも一方に異常が発生したとする。そしてこの異常の発生を、時間ｔ３３後の時間ｔ３４においてＭＧＥＣＵ５０２が認識したとする。
【０１５７】
このような異常を認識すると、ＭＧＥＣＵ５０２は、第１オンスイッチ５１２と第２オンスイッチ５４２をオフ状態する。それとともにＭＧＥＣＵ５０２は第１オフスイッチ５２７と第４オフスイッチ５５２をオン状態にする。これによりＩＧＢＴ３４０とＭＯＳＦＥＴ３５０に蓄積された電荷は緩やかにグランドに流れる。
【０１５８】
時間ｔ３４以降の時間ｔ３５において、ＭＧＥＣＵ５０２は第２オフスイッチ５２８と第３オフスイッチ５２９をオン状態にする。これによりＩＧＢＴ３４０とＭＯＳＦＥＴ３５０はともに低インピーダンスでグランドに接続される。この第２オフスイッチ５２８と第３オフスイッチ５２９をオン状態にする時間ｔ３５は、時間ｔ３４からの所要時間に基づいて求められる。
【０１５９】
本構成においても、これまでに記載した各種形態と同等の構成要素を有するとともに同等の動作をする。そのために同等の作用効果を奏することは言うまでもない。したがって作用効果の記載を省略する。
【０１６０】
以上、本開示物の好ましい実施形態について説明したが、本開示物は上記した実施形態になんら制限されることなく、本開示物の主旨を逸脱しない範囲において、種々変形して実施することが可能である。
【０１６１】
（第１の変形例）
各実施形態では寄生共振に起因するゲート電極間の通電を抑制する素子としてオフ回路がダイオードを有する例を示した。しかしながらこのような機能を果たす素子としてはダイオードに限定されない。例えばダイオードの代わりに、高周波数の電流の通電時に高抵抗となるチップビーズを採用することもできる。ダイオードとチップビーズが通電抑制素子に相当する。
【０１６２】
（その他の変形例）
各実施形態では、制御回路６００に含まれるゲートドライバの例として、電気自動車用の車載システムを構成する電力変換器３００のゲートドライバ５０３を示した。しかしながら制御回路６００に含まれるゲートドライバの適用としては特に上記例に限定されない。例えばモータと内燃機関を備えるハイブリッドシステムの電力変換器のゲートドライバに適用することができる。
【０１６３】
各実施形態では電力変換器３００が１つのコンバータ３１０と１つのインバータ３２０を有する例を示した。しかしながら、例えば図１０に示すように車載システム１００がモータ４００を２つ有する構成の場合、電力変換器３００が１つのコンバータ３１０と２つのインバータ３２０を有する構成を採用することもできる。
【０１６４】
各実施形態では制御回路６００が、ＭＧＥＣＵ５０２、ゲートドライバ５０３、および、第１センサ抵抗３４２と第２センサ抵抗３５２を有する例を示した。しかしながら体格の増大抑制という課題解決のためであれば、制御回路６００がゲートドライバ５０３だけを有してもよい。
【符号の説明】
【０１６５】
３４０…ＩＧＢＴ、３４０ｃ…ゲート電極、３４２…第１センサ抵抗、３５０…ＭＯＳＦＥＴ、３５０ｃ…ゲート電極、３５２…第２センサ抵抗、４００…モータ、５０２…ＭＧＥＣＵ、５０３…ゲートドライバ、５０５…第１オフ回路、５０７…第２オフ回路、５２１…第１基準配線、５２２…第２基準配線、５２３…第３基準配線、５２４…第１オフ抵抗、５２５…第２オフ抵抗、５２６…第１ダイオード、５２７…第１オフスイッチ、５２８…第２オフスイッチ、５２９…第３オフスイッチ、５３１…第３ダイオード、５５１…第４基準配線、５５２…第４オフスイッチ、５５３…接続配線、５５４…第２ダイオード、５５５…第２バランス抵抗、５５６…第１接続配線、５５７…第２接続配線、５５８…第４ダイオード、５５９…第５ダイオード、６００…制御回路
【図１】
2020025384.tif 000003
【図２】
2020025384.tif 000004
【図３】
2020025384.tif 000005
【図４】
2020025384.tif 000006
【図５】
2020025384.tif 000007
【図６】
2020025384.tif 000008
【図７】
2020025384.tif 000009
【図８】
2020025384.tif 000010
【図９】
2020025384.tif 000011
【図１０】
2020025384.tif 000012